(57)【要約】【課題】ＣＳＩフィードバックによるオーバーヘッドを削減する。【解決手段】周波数ｆ１及び周波数ｆ２のそれぞれは、下りリンク期間と上りリンク期間とを交互に有するＴＤＤ構成である。周波数ｆ１の下りリンク期間及び周波数ｆ２の上りリンク期間が時間軸上で一致し、かつ、周波数ｆ１の上りリンク期間及び周波数ｆ２の下りリンク期間が時間軸上で一致するように設定される。ＵＥ及びｅＮＢは、周波数ｆ１及び周波数ｆ２のそれぞれの下りリンク期間において下りリンク通信を行うとともに、周波数ｆ１及び周波数ｆ２のそれぞれの上りリンク期間において上りリンク通信を行う。【選択図】図７
2015070442.tif 000002
【特許請求の範囲】
【請求項１】
第１の周波数及び第２の周波数のペアを使用して基地局との下りリンク通信及び上りリンク通信を行うユーザ端末であって、
前記第１の周波数及び前記第２の周波数のそれぞれは、下りリンク期間と上りリンク期間とを交互に有するＴＤＤ構成であり、
前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定され、
前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備えることを特徴とするユーザ端末。
【請求項２】
前記第１の周波数及び前記第２の周波数のそれぞれの前記上りリンク期間において、チャネル推定に利用される上りリンク参照信号を前記基地局に送信する送信部をさらに備えることを特徴とする請求項１に記載のユーザ端末。
【請求項３】
前記第１の周波数及び前記第２の周波数のペアには、ＭＡＣ層以上において単一のＦＤＤ構成の周波数と見なすための単一のセル識別子が割り当てられていることを特徴とする請求項１に記載のユーザ端末。
【請求項４】
前記第１の周波数及び前記第２の周波数のそれぞれの前記下りリンク期間において前記基地局から下りリンク参照信号を受信する受信部と、
前記下りリンク参照信号の受信電力及び／又は受信品質を含む測定報告を前記基地局に送信する送信部と、をさらに備え、
前記送信部は、前記第１の周波数及び前記第２の周波数のペアで共通の前記測定報告を前記基地局に送信することを特徴とする請求項１に記載のユーザ端末。
【請求項５】
前記第１の周波数及び前記第２の周波数のそれぞれの前記下りリンク期間において前記基地局から下りリンクユーザデータを受信する受信部と、
前記下りリンクユーザデータについてのＡｃｋ／Ｎａｃｋを前記基地局に送信する送信部と、をさらに備え、
前記送信部は、前記第１の周波数及び前記第２の周波数のペアで共通の前記Ａｃｋ／Ｎａｃｋを前記基地局に送信することを特徴とする請求項１に記載のユーザ端末。
【請求項６】
第１の周波数及び第２の周波数のペアを使用してユーザ端末との下りリンク通信及び上りリンク通信を行う基地局であって、
前記第１の周波数及び前記第２の周波数のそれぞれは、下りリンク期間と上りリンク期間とを交互に有するＴＤＤ構成であり、
前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定され、
前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備えることを特徴とする基地局。
【請求項７】
前記第１の周波数及び前記第２の周波数のそれぞれの前記上りリンク期間において、チャネル推定に利用される上りリンク参照信号を前記ユーザ端末から受信する受信部をさらに備えることを特徴とする請求項６に記載の基地局。
【請求項８】
前記第１の周波数及び前記第２の周波数のペアには、ＭＡＣ層以上において単一のＦＤＤ構成の周波数と見なすための単一のセル識別子が割り当てられていることを特徴とする請求項６に記載の基地局。
【請求項９】
前記第１の周波数及び前記第２の周波数のそれぞれの前記下りリンク期間において下りリンク参照信号を送信する送信部と、
前記下りリンク参照信号の受信電力及び／又は受信品質を含む測定報告を前記ユーザ端末から受信する受信部と、をさらに備え、
前記受信部は、前記第１の周波数及び前記第２の周波数のペアで共通の前記測定報告を前記ユーザ端末から受信することを特徴とする請求項６に記載の基地局。
【請求項１０】
前記第１の周波数及び前記第２の周波数のそれぞれの前記下りリンク期間において下りリンクユーザデータを前記ユーザ端末に送信する送信部と、
前記下りリンクユーザデータについてのＡｃｋ／Ｎａｃｋを前記ユーザ端末から受信する受信部と、をさらに備え、
前記受信部は、前記第１の周波数及び前記第２の周波数のペアで共通の前記Ａｃｋ／Ｎａｃｋを前記ユーザ端末から受信することを特徴とする請求項６に記載の基地局。
【請求項１１】
第１の周波数及び第２の周波数のペアを使用して基地局との下りリンク通信及び上りリンク通信を行うユーザ端末に備えられるプロセッサであって、
前記第１の周波数及び前記第２の周波数のそれぞれは、下りリンク期間と上りリンク期間とを交互に有するＴＤＤ構成であり、
前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定され、
前記プロセッサは、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行うことを特徴とするプロセッサ。
【発明の詳細な説明】
【技術分野】
【０００１】
本発明は、移動通信システムにおいて用いられるユーザ端末、基地局、及びプロセッサに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）は、下りリンク周波数及び上りリンク周波数のペアを使用して通信を行う周波数分割複信（ＦＤＤ）をサポートする。
【０００３】
ＦＤＤを採用する移動通信システム（すなわち、ＦＤＤ通信システム）では、ユーザ端末は、基地局から下りリンク周波数を使用して送信される下りリンク参照信号に基づいて、下りリンク周波数におけるチャネル状態を示すチャネル状態情報（ＣＳＩ）を基地局にフィードバックする（例えば非特許文献１参照）。
【０００４】
基地局は、ユーザ端末からフィードバックされるＣＳＩに基づいて、下りリンク伝送制御を行う。下りリンク伝送制御とは、例えば下りリンクのマルチアンテナ伝送制御及び／又は下りリンクのスケジューリングなどである。
【０００５】
また、３ＧＰＰでは、リリース８乃至１１で規定される従来型のキャリア構造とは異なる新たなキャリア構造（ＮＣＴ：Ｎｅｗ  Ｃａｒｒｉｅｒ  Ｔｙｐｅ）を導入することが検討されている。
【先行技術文献】
【非特許文献】
【０００６】
【非特許文献１】３ＧＰＰ技術仕様書  「ＴＳ３６．２１１  Ｖ１１．３．０」  ２０１３年６月
【発明の概要】
【発明が解決しようとする課題】
【０００７】
ＦＤＤ通信システムでは、下りリンク伝送制御を行うためにＣＳＩフィードバックが必須であり、ＣＳＩフィードバックによるオーバーヘッドが問題となる。
【０００８】
さらに、下りリンク伝送制御の高度化を図る場合には、より高精度のＣＳＩが必要となるため、フィードバックすべきＣＳＩの情報量が増大し、ＣＳＩフィードバックによるオーバーヘッドが深刻な問題となる。
【０００９】
また、ＬＴＥ−Ａｄｖａｎｃｅｄ（ＬＴＥ−Ａ）では、複数のキャリア（周波数）を束ねて通信に使用するキャリアアグリゲーション（ＣＡ）が導入されている。しかしながら、ＬＴＥ−Ａの仕様では、ＴＤＤにおいてＣＡを用いた際に利用できる最大周波数幅がＦＤＤの場合の半分に制限されているという別の問題もある。
【００１０】
そこで、本発明は、ＣＳＩフィードバックによるオーバーヘッドを削減することを第１の目的とする。
【００１１】
また、本発明は、ＴＤＤキャリアでＣＡを用いた際に利用できる最大周波数幅を増加可能とすることを第２の目的とする。
【課題を解決するための手段】
【００１２】
第１の特徴に係るユーザ端末は、第１の周波数及び第２の周波数のペアを使用して基地局との下りリンク通信及び上りリンク通信を行う。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記ユーザ端末は、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備える。
【００１３】
第２の特徴に係る基地局は、第１の周波数及び第２の周波数のペアを使用してユーザ端末との下りリンク通信及び上りリンク通信を行う。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記基地局は、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備える。
【００１４】
第３の特徴に係るプロセッサは、第１の周波数及び第２の周波数のペアを使用して基地局との下りリンク通信及び上りリンク通信を行うユーザ端末に備えられる。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記プロセッサは、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う。
【発明の効果】
【００１５】
本発明によれば、ＣＳＩフィードバックによるオーバーヘッドを削減することができる。
【００１６】
また、本発明によれば、ＴＤＤキャリアでＣＡを用いた際に利用できる最大周波数幅を増加可能とすることができる。例えば、ＬＴＥ−ＡｄｖａｎｃｅｄシステムにおいてＴＤＤにおいても上下合わせて最大２００ＭＨｚ幅のＣＡが可能となる。
【図面の簡単な説明】
【００１７】
【図１】実施形態に係るＬＴＥシステムの構成図である。
【図２】実施形態に係るＵＥのブロック図である。
【図３】実施形態に係るｅＮＢのブロック図である。
【図４】実施形態に係る無線インターフェイスのプロトコルスタック図である。
【図５】実施形態に係る無線フレームの構成図である。
【図６】実施形態に係る動作環境を説明するための図である。
【図７】実施形態に係るＮＣＴを説明するための図である。
【図８】ＬＴＥにおけるＴＤＤフレーム構成のバリエーションを示す図である。
【図９】実施形態に係るＴＤＤフレーム構成の組み合わせの一例を説明するための図である。
【図１０】実施形態に係るシーケンス図である。
【図１１】実施形態に係る測定報告手順を示すシーケンス図である。
【図１２】実施形態に係るＡｃｋ／Ｎａｃｋ報告手順を示すシーケンス図である。
【発明を実施するための形態】
【００１８】
［実施形態の概要］
実施形態に係るユーザ端末は、第１の周波数及び第２の周波数のペアを使用して基地局との下りリンク通信及び上りリンク通信を行う。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記ユーザ端末は、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備える。
【００１９】
実施形態では、前記ユーザ端末は、前記第１の周波数及び前記第２の周波数のそれぞれの前記上りリンク期間において、チャネル推定に利用される上りリンク参照信号を前記基地局に送信する送信部をさらに備える。
【００２０】
実施形態では、前記第１の周波数及び前記第２の周波数のペアには、ＭＡＣ層以上において単一のＦＤＤ構成の周波数と見なすための単一のセル識別子が割り当てられている。
【００２１】
実施形態では、前記ユーザ端末は、前記第１の周波数及び前記第２の周波数のそれぞれの前記下りリンク期間において前記基地局から下りリンク参照信号を受信する受信部と、前記下りリンク参照信号の受信電力及び／又は受信品質を含む測定報告を前記基地局に送信する送信部と、をさらに備える。前記送信部は、前記第１の周波数及び前記第２の周波数のペアで共通の前記測定報告を前記基地局に送信する。
【００２２】
実施形態では、前記ユーザ端末は、前記第１の周波数及び前記第２の周波数のそれぞれの前記下りリンク期間において前記基地局から下りリンクユーザデータを受信する受信部と、前記下りリンクユーザデータについてのＡｃｋ／Ｎａｃｋを前記基地局に送信する送信部と、をさらに備える。前記送信部は、前記第１の周波数及び前記第２の周波数のペアで共通の前記Ａｃｋ／Ｎａｃｋを前記基地局に送信する。
【００２３】
実施形態に係る基地局は、第１の周波数及び第２の周波数のペアを使用してユーザ端末との下りリンク通信及び上りリンク通信を行う。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記基地局は、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う制御部を備える。
【００２４】
実施形態では、前記基地局は、前記第１の周波数及び前記第２の周波数のそれぞれの前記上りリンク期間において、チャネル推定に利用される上りリンク参照信号を前記ユーザ端末から受信する受信部をさらに備える。
【００２５】
実施形態では、前記第１の周波数及び前記第２の周波数のペアには、ＭＡＣ層以上において単一のＦＤＤ構成の周波数と見なすための単一のセル識別子が割り当てられている。
【００２６】
実施形態では、前記基地局は、前記第１の周波数及び前記第２の周波数のそれぞれの前記下りリンク期間において下りリンク参照信号を送信する送信部と、前記下りリンク参照信号の受信電力及び／又は受信品質を含む測定報告を前記ユーザ端末から受信する受信部と、をさらに備える。前記受信部は、前記第１の周波数及び前記第２の周波数のペアで共通の前記測定報告を前記ユーザ端末から受信する。
【００２７】
実施形態では、前記基地局は、前記第１の周波数及び前記第２の周波数のそれぞれの前記下りリンク期間において下りリンクユーザデータを前記ユーザ端末に送信する送信部と、前記下りリンクユーザデータについてのＡｃｋ／Ｎａｃｋを前記ユーザ端末から受信する受信部と、をさらに備える。前記受信部は、前記第１の周波数及び前記第２の周波数のペアで共通の前記Ａｃｋ／Ｎａｃｋを前記ユーザ端末から受信する。
【００２８】
実施形態に係るプロセッサは、第１の周波数及び第２の周波数のペアを使用して基地局との下りリンク通信及び上りリンク通信を行うユーザ端末に備えられる。前記第１の周波数及び前記第２の周波数のそれぞれは、下りリンク期間と上りリンク期間とを交互に有するＴＤＤ構成である。前記第１の周波数の前記下りリンク期間及び前記第２の周波数の前記上りリンク期間が時間軸上で一致し、かつ、前記第１の周波数の前記上りリンク期間及び前記第２の周波数の前記下りリンク期間が時間軸上で一致するように設定される。前記プロセッサは、前記第１の周波数及び前記第２の周波数のそれぞれの前記下りリンク期間において前記下りリンク通信を行うとともに、前記第１の周波数及び前記第２の周波数のそれぞれの前記上りリンク期間において前記上りリンク通信を行う。
【００２９】
［実施形態］
以下において、本発明をＬＴＥシステムに適用する場合の実施形態を説明する。
【００３０】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３１】
ＵＥ１００は、ユーザ端末に相当する。ＵＥ１００は、移動型の通信装置であり、接続先のセル（サービングセル）との無線通信を行う。ＵＥ１００の構成については後述する。
【００３２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３４】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３５】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３６】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する。また、無線送受信機１１０は、複数のアンテナ１０１が受信する無線信号をベースバンド信号（受信信号）に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３８】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。
【００４０】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する。また、無線送受信機２１０は、複数のアンテナ２０１が受信する無線信号をベースバンド信号（受信信号）に変換してプロセッサ２４０に出力する。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４３】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４５】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００４６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４７】
ＰＤＣＰ層は、ヘッダ圧縮・伸張、及び暗号化・復号化を行う。
【００４８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４９】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５０】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５１】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００５２】
ＵＥ１００に割り当てられる無線リソースのうち、周波数リソースはリソースブロックにより構成され、時間リソースはサブフレーム（又はスロット）により構成される。
【００５３】
下りリンクにおいて、各サブフレームの先頭数シンボルの区間は、主に制御信号を伝送するための物理下りリンク制御チャネル（ＰＤＣＣＨ）として使用される領域である。また、各サブフレームの残りの部分は、主にユーザデータを伝送するための物理下りリンク共有チャネル（ＰＤＳＣＨ）として使用できる領域である。
【００５４】
上りリンクにおいて、各サブフレームにおける周波数方向の両端部は、主に制御信号を伝送するための物理上りリンク制御チャネル（ＰＵＣＣＨ）として使用される領域である。各サブフレームにおける残りの部分は、主にユーザデータを伝送するための物理上りリンク共有チャネル（ＰＵＳＣＨ）として使用できる領域である。
【００５５】
（実施形態に係る動作）
（１）動作概要
図６は、実施形態に係る動作環境を説明するための図である。
【００５６】
図６に示すように、実施形態に係るＬＴＥシステムは、周波数ｆ１及び周波数ｆ２のペアを使用して下りリンク通信及び上りリンク通信を行う。一組の周波数を使用する点においては、一般的なＦＤＤ通信システムと共通する。また、周波数ｆ１におけるチャネル状態と周波数ｆ２におけるチャネル状態とは異なる。
【００５７】
一般的なＦＤＤ通信システムでは、ＵＥ１００は、ｅＮＢ２００から下りリンク周波数ｆ１を使用して送信される下りリンク参照信号に基づいてチャネル推定を行い、下りリンク周波数ｆ１におけるチャネル状態を示すＣＳＩをｅＮＢ２００にフィードバックする。下りリンク参照信号とは、ＣＲＳ（Ｃｅｌｌ−ｓｐｅｃｉｆｉｃ  Ｒｅｆｅｒｅｎｃｅ  Ｓｉｇｎａｌ）及びＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）などである。
【００５８】
ＣＲＳは、セル固有の下りリンク参照信号である。ＣＲＳ及びＣＳＩ−ＲＳは、主にＣＳＩを得るためのチャネル推定（すなわち、ＣＳＩ測定）に利用される。ＣＲＳは、チャネル推定以外にも、モビリティ制御のための受信電力（ＲＳＲＰ：Ｒｅｆｅｒｅｎｃｅ  Ｓｉｇｎａｌ  Ｒｅｃｅｉｖｅｄ  Ｐｏｗｅｒ）測定に利用される。
【００５９】
ＣＳＩとは、チャネル品質情報（ＣＱＩ；Ｃｈａｎｎｅｌ  Ｑｕａｌｉｔｙ  Ｉｎｄｉｃａｔｏｒ）、プリコーダ行列情報（ＰＭＩ；Ｐｒｅｃｏｄｅｒ  Ｍａｔｒｉｘ  Ｉｎｄｉｃａｔｏｒ）、及びランク情報（ＲＩ；Ｒａｎｋ  Ｉｎｄｉｃａｔｏｒ）などである。ＣＱＩは、下りリンクにおいて推奨される変調・符号化方式（ＭＣＳ）を示すインデックスである。ＰＭＩは、下りリンクにおいて推奨されるプリコーダ行列を示すインデックスである。ＲＩは、下りリンクにおいて推奨されるランクを示すインデックスである。
【００６０】
ｅＮＢ２００は、ＵＥ１００からフィードバックされるＣＳＩに基づいて、下りリンク伝送制御を行う。下りリンク伝送制御とは、例えば下りリンクのマルチアンテナ伝送制御及び／又は下りリンクのスケジューリングなどである。例えば、ｅＮＢ２００は、ＰＭＩ及びＲＩに基づいて、下りリンクのマルチアンテナ伝送を制御する。また、ｅＮＢ２００は、ＣＱＩに基づいて、下りリンクのスケジューリングを行う。
【００６１】
このように、一般的なＦＤＤ通信システムでは、下りリンク伝送制御を行うためにＣＳＩフィードバックが必須であり、ＣＳＩフィードバックによるオーバーヘッドが問題となる。さらに、下りリンク伝送制御の高度化を図る場合には、より高精度のＣＳＩが必要となるため、フィードバックすべきＣＳＩの情報量が増大し、ＣＳＩフィードバックによるオーバーヘッドが深刻な問題となる。また、現状のＣＳＩの精度では、ＭＵ−ＭＩＭＯ（Ｍｕｌｔｉ  Ｕｓｅｒ  Ｍｕｌｔｉｐｌｅ−Ｉｎｐｕｔ  Ｍｕｌｔｉｐｌｅ−Ｏｕｔｐｕｔ）などの高度なマルチアンテナ伝送を導入困難である。
【００６２】
そこで、実施形態では、このような問題を解決するために、リリース８乃至１１で規定される従来型のキャリア構造とは異なる新たなキャリア構造（ＮＣＴ）を導入する。
【００６３】
図７は、実施形態に係るＮＣＴを説明するための図である。
【００６４】
図６及び図７に示すように、ＵＥ１００は、周波数ｆ１及び周波数ｆ２のペアを使用してｅＮＢ２００との下りリンク通信及び上りリンク通信を行う。ｅＮＢ２００は、周波数ｆ１及び周波数ｆ２のペアを使用してＵＥ１００との下りリンク通信及び上りリンク通信を行う。周波数ｆ１及び周波数ｆ２のそれぞれは、下りリンク期間と上りリンク期間とを交互に有するＴＤＤ構成（すなわち、ＴＤＤキャリア）である。
【００６５】
図７に示すように、１つの下りリンク期間は、１又は複数のサブフレームからなる。１つの上りリンク期間は、１又は複数のサブフレームからなる。また、周波数ｆ１の下りリンク期間及び周波数ｆ２の上りリンク期間が時間軸上で一致し、かつ、周波数ｆ１の上りリンク期間及び周波数ｆ２の下りリンク期間が時間軸上で一致するように設定される。ＵＥ１００及びｅＮＢ２００は、周波数ｆ１及び周波数ｆ２のそれぞれの下りリンク期間において下りリンク通信を行うとともに、周波数ｆ１及び周波数ｆ２のそれぞれの上りリンク期間において上りリンク通信を行う。
【００６６】
ＵＥ１００は、周波数ｆ１及び周波数ｆ２のそれぞれの上りリンク期間において、チャネル推定に利用される上りリンク参照信号をｅＮＢ２００に送信する。ｅＮＢ２００は、周波数ｆ１及び周波数ｆ２のそれぞれの上りリンク期間において、チャネル推定に利用される上りリンク参照信号をＵＥ１００から受信する。
【００６７】
これにより、ｅＮＢ２００は、ＵＥ１００から受信した上りリンク参照信号に基づいて、周波数ｆ１及び周波数ｆ２のそれぞれについてのチャネル推定を行うことができる。よって、ｅＮＢ２００は、ＵＥ１００からのＣＳＩフィードバックに依存することなく、周波数ｆ１及び周波数ｆ２のそれぞれのＣＳＩをｅＮＢ２００自身で得ることができる。従って、ＣＳＩフィードバックによるオーバーヘッドを削減することができる。また、ＭＵ−ＭＩＭＯなどの高度なマルチアンテナ伝送を導入可能とすることができる。
【００６８】
上りリンク参照信号は、ｅＮＢ２００において既知の信号系列であり、サイクリックシフト量と基本系列とによって定義される。例えば基本系列では、時間、周波数両方の領域において固定の振幅を持ち、サイクリックシフトさせた系列が互いに直交するＺａｄｏｆｆ−Ｃｈｕ系列が適用される。上りリンク参照信号は、サウンディング参照信号（ＳＲＳ）であってもよい。ＳＲＳの送信には、周波数ホッピングが適用される。すなわち、ＳＲＳの送信周期毎に、ＳＲＳの送信リソースブロックが切り替えられる。
【００６９】
実施形態では、周波数ｆ１及び周波数ｆ２のペアには、ＭＡＣ層以上において単一のＦＤＤ構成の周波数（すなわち、一組のＦＤＤキャリア）と見なすための単一のセル識別子が割り当てられている。当該セル識別子は、物理層のセル識別子である物理セル識別子（ＰＣＩ）とは異なり、論理的なセル識別子である。
【００７０】
ＵＥ１００及びｅＮＢ２００は、物理層において周波数を切り替えながらＴＤＤ通信を行いつつ、ＭＡＣ層以上においてはＦＤＤ通信を行っていると見なして通信を行う。実施形態では、物理層とＭＡＣ層との間を境界として、ＴＤＤとＦＤＤとが切り替わる。
【００７１】
これにより、ＴＤＤキャリアを２つ束ねたキャリアアグリゲーション（ＣＡ）とは異なり、ＭＡＣ層以上において通常のＦＤＤ通信を行っているように動作する。よって、ＣＡにおいてキャリアごとに行うべき処理を、キャリアのペアで共通化できる。また、２つのＴＤＤキャリアを一組のＦＤＤキャリア（１コンポーネントキャリアに相当）と見なすことで、ＦＤＤのＣＡにおける最大コンポーネントキャリア数がｎである場合に、２×ｎ個のキャリアを使用したＣＡが実現できる。すなわち、２倍のキャリアを使用して、通信容量を増大することができる。
【００７２】
ただし、ＮＣＴをサポートしないＵＥ（レガシーＵＥ）については、周波数ｆ１及び周波数ｆ２の何れか一方を使用した通常のＴＤＤ通信が可能であることが求められる。よって、周波数ｆ１及び周波数ｆ２のそれぞれに異なるＰＣＩが割り当てられていることに留意すべきである。
【００７３】
（２）キャリア構造の具体例
次に、図７に示すキャリア構造（以下、「ＴＤＤ−ＦＤＤキャリア構造」という）の具体例について説明する。図８は、ＬＴＥにおけるＴＤＤフレーム構成のバリエーションを示す図である。図８に示すように、ＬＴＥでは、下りリンク期間及び上りリンク期間のバランスの異なる６つのＴＤＤフレーム構成（Ｃｏｎｆｉｇ．）が規定されている。
【００７４】
図８において、「Ｄ」サブフレームは下りリンク期間を構成するサブフレームであり、「Ｕ」サブフレームは上りリンク期間を構成するサブフレームであり、「Ｓ」サブフレームはガートタイムとして利用される特別なサブフレームである。
【００７５】
図９は、ＴＤＤフレーム構成の組み合わせの一例を説明するための図である。図９に示すように、一方のキャリア（例えば周波数ｆ１）にＴＤＤフレーム構成「０」を設定し、他方のキャリア（例えば周波数ｆ２）にＴＤＤフレーム構成「１」を設定した上で、ＴＤＤフレーム構成「１」のキャリアを３サブフレーム後にサイクリックシフトする。すなわち、３サブフレームのオフセットを付加する。
【００７６】
そうすると、全ての「Ｄ」サブフレームが時間軸上で「Ｕ」サブフレームと一致する。「Ｓ」サブフレーム及び「Ｕ」サブフレームが時間軸上で一致する部分については、「Ｓ」サブフレームを「Ｄ」サブフレームと見なして使用することにより、ＴＤＤ−ＦＤＤキャリア構造を実現できる。
【００７７】
（３）動作シーケンス
次に、実施形態に係る動作シーケンスについて説明する。図１０は、実施形態に係るシーケンス図である。
【００７８】
図１０に示すように、ステップＳ１１において、ｅＮＢ２００は、周波数ｆ１及び周波数ｆ２のそれぞれの設定を示す設定情報をＵＥ１００に送信する。設定情報は、ブロードキャストされるシステム情報の一種であるシステム情報ブロック・タイプ（ＳＩＢ）２により送信される。或いは、ＳＩＢ１に含まれる「ＴＤＤ−Ｃｏｎｆｉｇ」により、ＴＤＤ−ＦＤＤキャリア構造を示してもよい。また、ＳＩＢ１に含まれる「ＦｒｅｑＢａｎｄＩｎｄｉｃａｔｏｒ」により、ＴＤＤ−ＦＤＤキャリア構造が適用される周波数（周波数ｆ１、周波数ｆ２）を示してもよい。或いは、ＴＤＤ−ＦＤＤキャリア構造が適用される周波数において、特別なプライマリ同期信号（ＰＳＳ）・セカンダリ同期信号（ＳＳＳ）の配置を適用することにより、当該周波数を識別可能としてもよい。
【００７９】
或いは、ＵＥ１００が初期アクセス時は通常のＴＤＤキャリアとして認識させて、後からＴＤＤ−ＦＤＤキャリア構造を通知する方法とする場合には、ステップＳ１１に代えて、ＵＥ１００の接続後に例えばＲＲＣメッセージによりＴＤＤ−ＦＤＤキャリア構造についてＵＥ１００に通知してもよい。
【００８０】
ステップＳ１２において、ＵＥ１００は、ｅＮＢ２００との接続を確立する。ここで、ＵＥ１００及びｅＮＢ２００は、周波数ｆ１及び周波数ｆ２のペアに対して、ＭＡＣ層以上において単一のＦＤＤ構成の周波数（すなわち、一組のペアバンド）と見なすための単一のセル識別子を割り当てる。具体的には、ｅＮＢ２００が、当該識別子をＵＥ１００に対して割り当て及び通知するとともに、ＵＥ１００に割り当てた当該識別子を記憶する。なお、当該通知は、ＵＥのＣａｐａｂｉｌｉｔｙに応じて実施してもよく、ｅＮＢ２００負荷やＭＵ−ＭＩＭＯ適用に伴って後から通知してもよい。
【００８１】
また、ＵＥ１００及びｅＮＢ２００は、ＭＡＣ層から物理層に対して、ＴＤＤ−ＦＤＤキャリア構造が適用される旨、及びＴＤＤ−ＦＤＤキャリア構造のための設定を通知する。さらに、上位層側（例えばＲＲＣ層）から下位層側（例えばＭＡＣ層）に対して、共通化可能な事項（測定報告、ＨＡＲＱプロセス、Ａｃｋ／Ｎａｃｋなど）を通知してもよい。以降、物理層において周波数を切り替えながらＴＤＤ通信を行いつつ、ＭＡＣ層以上においてはＦＤＤ通信を行っていると見なして通信を行う。
【００８２】
ステップＳ１３において、ＵＥ１００は、周波数ｆ１を使用して上りリンク参照信号をｅＮＢ２００に送信する。
【００８３】
ステップＳ１４において、ｅＮＢ２００は、ＵＥ１００から受信した上りリンク参照信号に基づいて、周波数ｆ１についてのチャネル推定を行う。このようにして、ｅＮＢ２００は、ＵＥ１００からのＣＳＩフィードバックに依存することなく、周波数ｆ１のＣＳＩをｅＮＢ２００自身で得ることができる。
【００８４】
ステップＳ１５において、ＵＥ１００は、周波数ｆ２を使用して上りリンク参照信号をｅＮＢ２００に送信する。
【００８５】
ステップＳ１６において、ｅＮＢ２００は、ＵＥ１００から受信した上りリンク参照信号に基づいて、周波数ｆ２についてのチャネル推定を行う。このようにして、ｅＮＢ２００は、ＵＥ１００からのＣＳＩフィードバックに依存することなく、周波数ｆ２のＣＳＩをｅＮＢ２００自身で得ることができる。
【００８６】
図１１は、実施形態に係る測定報告手順を示すシーケンス図である。
【００８７】
図１１に示すように、ステップＳ１０１において、ｅＮＢ２００は、周波数ｆ１及び周波数ｆ２のそれぞれの下りリンク期間において下りリンク参照信号を送信する。ＵＥ１００は、周波数ｆ１及び周波数ｆ２のそれぞれの下りリンク期間においてｅＮＢ２００から下りリンク参照信号を受信する。具体的には、ＵＥ１００は、サービングセル及び隣接セルからの下りリンク参照信号を受信する。
【００８８】
ステップＳ１０２において、ＵＥ１００は、周波数ｆ１及び周波数ｆ２の何れかについて、下りリンク参照信号の受信電力（ＲＳＲＰ）及び／又は受信品質（ＲＳＲＱ）を測定する。
【００８９】
ステップＳ１０３において、ＵＥ１００は、ＲＳＲＰ及び／又はＲＳＲＱを含む測定報告をｅＮＢ２００に送信する。ここで、ＵＥ１００は、周波数ｆ１及び周波数ｆ２のペアで共通の測定報告をｅＮＢ２００に送信する。ｅＮＢ２００は、測定報告をＵＥ１００から受信する。
【００９０】
図１２は、実施形態に係るＡｃｋ／Ｎａｃｋ報告手順を示すシーケンス図である。
【００９１】
図１２に示すように、ステップＳ２０１において、ｅＮＢ２００は、周波数ｆ１及び周波数ｆ２のそれぞれの下りリンク期間において下りリンクユーザデータをＵＥ１００に送信する。ＵＥ１００は、周波数ｆ１及び周波数ｆ２のそれぞれの下りリンク期間においてｅＮＢ２００から下りリンクユーザデータを受信する。
【００９２】
ステップＳ２０２において、ＵＥ１００は、下りリンクユーザデータを復号し、復号成功の場合はＡｃｋを生成し、復号失敗の場合はＮａｃｋを生成する。
【００９３】
ステップＳ２０３において、ＵＥ１００は、下りリンクユーザデータについてのＡｃｋ／ＮａｃｋをｅＮＢ２００に送信する。ここで、ＵＥ１００は、周波数ｆ１及び周波数ｆ２のペアで共通のＡｃｋ／ＮａｃｋをｅＮＢ２００に送信する。ｅＮＢ２００は、Ａｃｋ／ＮａｃｋをＵＥ１００から受信する。
【００９４】
具体的には、周波数ｆ１での下り通信に対するＡｃｋ／Ｎａｃｋを、周波数ｆ１での上り通信で返しても良いし、周波数ｆ２での上り通信で返しても良い。ＬＴＥシステムの場合においてはデータ受信から４サブフレーム後にＡｃｋ／Ｎａｃｋを返す仕様であるため、例えば、ある周波数ｆ１での下り通信サブフレームの４サブフレーム後のサブフレームにおいて第１の周波数が上り通信用サブフレームとなっていれば周波数ｆ１で、周波数ｆ２が上り通信用サブフレームとなっていれば周波数ｆ２で返してもよい。
【００９５】
（実施形態のまとめ）
上述したように、周波数ｆ１及び周波数ｆ２のそれぞれは、下りリンク期間と上りリンク期間とを交互に有するＴＤＤ構成である。また、周波数ｆ１の下りリンク期間及び周波数ｆ２の上りリンク期間が時間軸上で一致し、かつ、周波数ｆ１の上りリンク期間及び周波数ｆ２の下りリンク期間が時間軸上で一致するように設定される。ＵＥ１００及びｅＮＢ２００は、周波数ｆ１及び周波数ｆ２のそれぞれの下りリンク期間において下りリンク通信を行うとともに、周波数ｆ１及び周波数ｆ２のそれぞれの上りリンク期間において上りリンク通信を行う。
【００９６】
ＵＥ１００は、周波数ｆ１及び周波数ｆ２のそれぞれの上りリンク期間において、チャネル推定に利用される上りリンク参照信号をｅＮＢ２００に送信する。ｅＮＢ２００は、周波数ｆ１及び周波数ｆ２のそれぞれの上りリンク期間において、チャネル推定に利用される上りリンク参照信号をＵＥ１００から受信する。
【００９７】
これにより、ｅＮＢ２００は、ＵＥ１００から受信した上りリンク参照信号に基づいて、周波数ｆ１及び周波数ｆ２のそれぞれについてのチャネル推定を行うことができる。よって、ｅＮＢ２００は、ＵＥ１００からのＣＳＩフィードバックに依存することなく、周波数ｆ１及び周波数ｆ２のそれぞれのＣＳＩをｅＮＢ２００自身で得ることができる。従って、ＣＳＩフィードバックによるオーバーヘッドを削減することができる。また、ＭＵ−ＭＩＭＯなどの高度なマルチアンテナ伝送を導入可能とすることができる。
【００９８】
また、周波数ｆ１及び周波数ｆ２のペアには、ＭＡＣ層以上において単一のＦＤＤ構成の周波数（一組の周波数）と見なすための単一のセル識別子（論理セル識別子）が割り当てられている。
【００９９】
これにより、ＴＤＤキャリアを２つ束ねたキャリアアグリゲーション（ＣＡ）とは異なり、ＭＡＣ層以上においては通常のＦＤＤ通信を行っているように動作する。よって、ＣＡにおいてキャリアごとに行うべき処理を、キャリアのペアで共通化できる。また、２つのＴＤＤキャリアを一対のＦＤＤキャリア（１コンポーネントキャリア）と見なすことで、ＦＤＤのＣＡにおける最大コンポーネントキャリア数がｎである場合に、２×ｎ個のキャリアを使用したＣＡが実現できる。例えば、ＬＴＥ−ＡｄｖａｎｃｅｄシステムにおいてＴＤＤにおいても上下合わせて最大２００ＭＨｚ幅のＣＡが可能となる。
【０１００】
［その他の実施形態］
上述した実施形態では、物理層とＭＡＣ層との間を境界として、ＴＤＤとＦＤＤとが切り替わっていた。しかしながら、ＭＡＣ層とＲＬＣ層との間を境界としてもよく、ＭＡＣ層とＲＬＣ層との間を境界としてもよく、ＲＬＣ層とＰＤＣＰ層との間を境界としてもよく、ＰＤＣＰ層とＲＲＣ層との間を境界としてもよい。
【０１０１】
上述した各実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１０２】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015070442.tif 000003
【図２】
2015070442.tif 000004
【図３】
2015070442.tif 000005
【図４】
2015070442.tif 000006
【図５】
2015070442.tif 000007
【図６】
2015070442.tif 000008
【図７】
2015070442.tif 000009
【図８】
2015070442.tif 000010
【図９】
2015070442.tif 000011
【図１０】
2015070442.tif 000012
【図１１】
2015070442.tif 000013
【図１２】
2015070442.tif 000014